(57)【特許請求の範囲】
【請求項１】
設置面に立てられた複数本の柱部材と、
該複数本の柱部材のうちの１本以上の柱部材によってそれぞれ支持されているとともに第１方向に沿った長手方向をそれぞれ有しており且つ前記第１方向に直交する第２方向において互いに離れて位置する複数本の梁部材と、
該複数本の梁部材のうちの２本の梁部材の間に架設されており、該２本の梁部材のそれぞれに複数の固定具によって固定されている２本の桁部材と、
前記２本の桁部材の上に位置している太陽電池モジュールと、を備え、
各前記桁部材が、各前記梁部材上に配されており、
前記２本の梁部材のそれぞれが、前記桁部材側において該桁部材側に張り出すように湾曲しており且つ前記第１方向に延びている第１の凸状湾曲面を有する湾曲部を含んでおり、
前記桁部材は前記湾曲部に取り付けられる平板状のフランジ部を有し、
前記フランジ部は孔部を有し、
前記湾曲部が、前記複数の固定具のうちの一部の固定具が挿通されている第１の長孔、を有しており、
該第１の長孔が、前記設置面に向けて平面透視した場合に前記第２方向に沿った長手方向を有しているとともに、前記第１の凸状湾曲面に開口を有しており、
前記複数の固定具が、各前記梁部材の前記設置面側にそれぞれ配されているとともに、前記一部の固定具が挿通されている第１の挿通孔と、前記一部の固定具が前記第１の挿通孔を貫通している方向に張り出すように湾曲しており且つ前記第１方向に延びているとともに前記第１の挿通孔の開口が設けられた第２の凸状湾曲面と、を有している固定補助具、を含んでおり、
前記湾曲部が、湾曲している板状の部分であり、
前記第２の凸状湾曲面が、前記湾曲部の前記第１の凸状湾曲面とは逆側の凹状の湾曲面に沿って配されており、
前記桁部材は、前記湾曲部上に前記孔部と前記第１の長孔とが連通するように載置され、前記孔部と前記第１の長孔とに対して前記一部の固定具が挿通された状態で前記梁部材に固定されている、太陽電池アレイ。
【請求項２】
設置面に立てられた複数本の柱部材と、
該複数本の柱部材のうちの１本以上の柱部材によってそれぞれ支持されているとともに第１方向に沿った長手方向をそれぞれ有しており且つ前記第１方向に直交する第２方向において互いに離れて位置する複数本の梁部材と、
該複数本の梁部材のうちの２本の梁部材の間に架設されており、該２本の梁部材のそれぞれに複数の固定具によって固定されている２本の桁部材と、
前記２本の桁部材の上に位置している太陽電池モジュールと、を備え、
各前記桁部材が、各前記梁部材上に配されており、
前記２本の梁部材のそれぞれが、前記桁部材側において該桁部材側に張り出すように湾曲しており且つ前記第１方向に延びている第１の凸状湾曲面を有する湾曲部を含んでおり、
前記湾曲部が、前記複数の固定具のうちの一部の固定具が挿通されている第１の長孔、を有しており、
該第１の長孔が、前記設置面に向けて平面透視した場合に前記第２方向に沿った長手方向を有しているとともに、前記第１の凸状湾曲面に開口を有しており、
前記複数の固定具が、各前記梁部材の前記設置面側にそれぞれ配されているとともに、前記一部の固定具が挿通されている第１の挿通孔と、前記一部の固定具が前記第１の挿通孔を貫通している方向に張り出すように湾曲しており且つ前記第１方向に延びているとともに前記第１の挿通孔の開口が設けられた第２の凸状湾曲面と、を有している固定補助具、を含んでおり、
前記２本の梁部材のうちの少なくとも１本の梁部材が、前記１本以上の柱部材に固定されているとともに前記第１方向に沿った長手方向を有しており且つ第２の長孔が設けられた第１部材と、該第１部材の前記桁部材側に配されており且つ前記湾曲部を含んでいる第２部材と、を含んでおり、
前記一部の固定具が、前記第１の長孔と、前記第２の長孔と、前記第１の挿通孔と、に挿通されている、太陽電池アレイ。
【請求項３】
請求項１に記載の太陽電池アレイであって、
前記２本の梁部材のそれぞれが、前記１本以上の柱部材に固定されており且つ前記第１方向に沿った長手方向を有する第１部材と、該第１部材に固定されており且つ前記第１方向において該第１部材よりも短い第２部材と、を有しており、
前記第２部材が、前記湾曲部を含んでいる、太陽電池アレイ。
【請求項４】
請求項３に記載の太陽電池アレイであって、
前記複数の梁部材の少なくとも１本の梁部材が、前記第１部材と、該第１部材に固定されており且つ前記第２方向にならんでいる２つの前記第２部材と、を有している、太陽電池アレイ。
【請求項５】
請求項１から請求項４の何れか１つの請求項に記載の太陽電池アレイであって、
前記複数の固定具が、前記第１の長孔に挿通されており且つ外周部に雄ネジ部が形成された軸部を有する第１締結部と、内周部に前記雄ネジ部と嵌まり合う雌ネジ部が形成された第２締結部と、を含んでいる、太陽電池アレイ。
【請求項６】
請求項５に記載の太陽電池アレイであって、
前記第１締結部が、頭部を有しており、
前記複数の固定具が、前記桁部材の前記梁部材とは逆側に配された座金部、を含んでおり、
該座金部が、前記軸部が挿通されている第２の挿通孔と、前記頭部の外周部または前記第２締結部の外周部が嵌まっている凹部と、前記軸部を中心とした回転が前記桁部材と接することで止められるストッパ部と、を有している、太陽電池アレイ。
【請求項７】
設置面に立てられた複数本の柱部材と、
該複数本の柱部材のうちの１本以上の柱部材によってそれぞれ支持されているとともに第１方向に沿った長手方向をそれぞれ有しており且つ前記第１方向に直交する第２方向において互いに離れて位置している複数本の梁部材と、
該複数本の梁部材のうちの２本の梁部材の間に架設されており、該２本の梁部材のそれぞれに複数の固定具によって固定されている２本の桁部材と、を備え、
各前記桁部材が、各前記梁部材上に配されており、
前記２本の梁部材のそれぞれが、前記桁部材側において該桁部材側に張り出すように湾曲しており且つ前記第１方向に延びている第１の凸状湾曲面を有する湾曲部を含んでおり、
前記桁部材は前記湾曲部に取り付けられる平板状のフランジ部を有し、
前記フランジ部は孔部を有し、
前記湾曲部が、前記複数の固定具のうちの一部の固定具が挿通されている第１の長孔、を有しており、
該第１の長孔が、前記設置面に向けて平面透視した場合に前記第２方向に沿った長手方向を有しているとともに、前記第１の凸状湾曲面に開口を有しており、
前記複数の固定具が、各前記梁部材の前記設置面側にそれぞれ配されているとともに、前記一部の固定具が挿通されている第１の挿通孔と、前記一部の固定具が前記第１の挿通孔を貫通している方向に張り出すように湾曲しており且つ前記第１方向に延びているとともに前記第１の挿通孔の開口が設けられた第２の凸状湾曲面と、を有している固定補助具、を含んでおり、
前記湾曲部が、湾曲している板状の部分であり、
前記第２の凸状湾曲面が、前記湾曲部の前記第１の凸状湾曲面とは逆側の凹状の湾曲面に沿って配されており、
前記桁部材は、前記湾曲部上に前記孔部と前記第１の長孔とが連通するように載置され、前記孔部と前記第１の長孔とに対して前記一部の固定具が挿通された状態で前記梁部材に固定されている、太陽電池アレイ用架台。
【請求項８】
設置面に立てられた複数本の柱部材と、
該複数本の柱部材のうちの１本以上の柱部材によってそれぞれ支持されているとともに第１方向に沿った長手方向をそれぞれ有しており且つ前記第１方向に直交する第２方向において互いに離れて位置している複数本の梁部材と、
該複数本の梁部材のうちの２本の梁部材の間に架設されており、該２本の梁部材のそれぞれに複数の固定具によって固定されている２本の桁部材と、を備え、
各前記桁部材が、各前記梁部材上に配されており、
前記２本の梁部材のそれぞれが、前記桁部材側において該桁部材側に張り出すように湾曲しており且つ前記第１方向に延びている第１の凸状湾曲面を有する湾曲部を含んでおり、
前記湾曲部が、前記複数の固定具のうちの一部の固定具が挿通されている第１の長孔、を有しており、
該第１の長孔が、前記設置面に向けて平面透視した場合に前記第２方向に沿った長手方向を有しているとともに、前記第１の凸状湾曲面に開口を有しており、
前記複数の固定具が、各前記梁部材の前記設置面側にそれぞれ配されているとともに、前記一部の固定具が挿通されている第１の挿通孔と、前記一部の固定具が前記第１の挿通孔を貫通している方向に張り出すように湾曲しており且つ前記第１方向に延びているとともに前記第１の挿通孔の開口が設けられた第２の凸状湾曲面と、を有している固定補助具、を含んでおり、
前記２本の梁部材のうちの少なくとも１本の梁部材が、前記１本以上の柱部材に固定されているとともに前記第１方向に沿った長手方向を有しており且つ第２の長孔が設けられた第１部材と、該第１部材の前記桁部材側に配されており且つ前記湾曲部を含んでいる第２部材と、を含んでおり、
前記一部の固定具が、前記第１の長孔と、前記第２の長孔と、前記第１の挿通孔と、に挿通されている、太陽電池アレイ用架台。
【発明の詳細な説明】
【技術分野】
【０００１】
本開示は、複数の太陽電池モジュールが配列された太陽電池アレイおよび太陽電池アレイ用架台に関する。
【背景技術】
【０００２】
太陽電池アレイが設置された、大規模な太陽光発電所の建設が進められている。
【０００３】
また、平坦な遊休地の枯渇に伴って、山間および斜面等と言った起伏を有する土地に、太陽光発電所を建設することが求められている。
【０００４】
そこで、平坦でない場所に太陽電池アレイを設置する技術が求められている。これに対して、特許文献１にも記載されているように、多数の太陽電池モジュールが載置された架台における柱の高さが適宜調整されることで、太陽電池アレイを構成する太陽電池モジュールの角度が調整される技術が知られている。この特許文献１には、例えば、架台への球面ジョイントの適用によって、太陽電池モジュールの取り付け部分の方向および勾配が可変となり、設置面から太陽電池モジュールまでの距離を簡単に設定することが可能な太陽電池モジュールの支持構造が記載されている。
【先行技術文献】
【特許文献】
【０００５】
【特許文献１】特開２００３−１８４２３５号公報
【発明の概要】
【発明が解決しようとする課題】
【０００６】
しかしながら、球面ジョイントについては、がたつきおよび破損が生じ易く、製造も容易でない。
【０００７】
したがって、平坦でない場所に容易に設置可能な従来の太陽電池アレイについては、架台の耐久性および生産性に改善の余地がある。
【課題を解決するための手段】
【０００８】
太陽電池アレイおよび太陽電池アレイ用架台が開示される。
【０００９】
太陽電池アレイの一態様は、複数本の柱部材と、複数本の梁部材と、２本の桁部材と、太陽電池モジュールと、を備える。複数本の柱部材は、設置面に立てられている。複数本の梁部材は、複数本の柱部材のうちの１本以上の柱部材によってそれぞれ支持されているとともに第１方向に沿った長手方向をそれぞれ有しており且つ第１方向に直交する第２方向において互いに離れて位置している。２本の桁部材は、複数本の梁部材のうちの２本の梁部材の間に架設されており、該２本の梁部材のそれぞれに複数の固定具によって固定されている。太陽電池モジュールは、２本の桁部材の上に位置している。ここで、各桁部材が、各梁部材上に配されている。また、２本の梁部材のそれぞれが、桁部材側において該桁部材側に張り出すように湾曲しており且つ第１方向に延びている第１の凸状湾曲面を有する湾曲部を含んでいる。また、桁部材は湾曲部に取り付けられる平板状のフランジ部を有している。該フランジ部は孔部を有している。湾曲部が、複数の固定具のうちの一部の固定具が挿通されている第１の長孔、を有している。そして、該第１の長孔が、設置面に向けて平面透視した場合に第２方向に沿った長手方向を有しているとともに、第１の凸状湾曲面に開口を有している。さらに、複数の固定具が、各梁部材の設置面側にそれぞれ配されているとともに、一部の固定具が挿通されている第１の挿通孔と、一部の固定具が第１の挿通孔を貫通している方向に張り出すように湾曲しており且つ第１方向に延びているとともに第１の挿通孔の開口が設けられた第２の凸状湾曲面と、を有している固定補助具、を含んでいる。湾曲部が、湾曲している板状の部分である。第２の凸状湾曲面が、湾曲部の第１の凸状湾曲面とは逆側の凹状の湾曲面に沿って配されている。そして、桁部材は、湾曲部上に孔部と第１の長孔とが連通するように載置され、孔部と第１の長孔とに対して一部の固定具が挿通された状態で梁部材に固定されている。
太陽電池アレイの一態様は、複数本の柱部材と、複数本の梁部材と、２本の桁部材と、太陽電池モジュールと、を備える。複数本の柱部材は、設置面に立てられている。複数本の梁部材は、複数本の柱部材のうちの１本以上の柱部材によってそれぞれ支持されているとともに第１方向に沿った長手方向をそれぞれ有しており且つ第１方向に直交する第２方向において互いに離れて位置している。２本の桁部材は、複数本の梁部材のうちの２本の梁部材の間に架設されており、該２本の梁部材のそれぞれに複数の固定具によって固定されている。太陽電池モジュールは、２本の桁部材の上に位置している。ここで、各桁部材が、各梁部材上に配されている。また、２本の梁部材のそれぞれが、桁部材側において該桁部材側に張り出すように湾曲しており且つ第１方向に延びている第１の凸状湾曲面を有する湾曲部を含んでいる。また、湾曲部が、複数の固定具のうちの一部の固定具が挿通されている第１の長孔、を有している。そして、該第１の長孔が、設置面に向けて平面透視した場合に第２方向に沿った長手方向を有しているとともに、第１の凸状湾曲面に開口を有している。さらに、複数の固定具が、各梁部材の設置面側にそれぞれ配されているとともに、一部の固定具が挿通されている第１の挿通孔と、一部の固定具が第１の挿通孔を貫通している方向に張り出すように湾曲しており且つ第１方向に延びているとともに第１の挿通孔の開口が設けられた第２の凸状湾曲面と、を有している固定補助具、を含んでいる。２本の梁部材のうちの少なくとも１本の梁部材が、１本以上の柱部材に固定されているとともに第１方向に沿った長手方向を有しており且つ第２の長孔が設けられた第１部材と、該第１部材の桁部材側に配されており且つ湾曲部を含んでいる第２部材と、を含んでいる。そして、一部の固定具が、第１の長孔と、第２の長孔と、第１の挿通孔と、に挿通されている。
【００１０】
太陽電池アレイ用架台の一態様は、複数本の柱部材と、複数本の梁部材と、２本の桁部材と、を備える。複数本の柱部材は、設置面に立てられている。複数本の梁部材は、複数本の柱部材のうちの１本以上の柱部材によってそれぞれ支持されているとともに第１方向に沿った長手方向をそれぞれ有しており且つ第１方向に直交する第２方向において互いに離れて位置している。２本の桁部材は、複数本の梁部材のうちの２本の梁部材の間に架設されており、該２本の梁部材のそれぞれに複数の固定具によって固定されている。ここで、各桁部材が、各梁部材上に配されている。また、２本の梁部材のそれぞれが、桁部材側において該桁部材側に張り出すように湾曲しており且つ第１方向に延びている第１の凸状湾曲面を有する湾曲部を含んでいる。また、桁部材は湾曲部に取り付けられる平板状のフランジ部を有している。フランジ部は孔部を有している。湾曲部が、複数の固定具のうちの一部の固定具が挿通されている第１の長孔、を有している。そして、該第１の長孔が、設置面に向けて平面透視した場合に第２方向に沿った長手方向を有しているとともに、第１の凸状湾曲面に開口を有している。さらに、複数の固定具が、各梁部材の設置面側にそれぞれ配されているとともに、一部の固定具が挿通されている第１の挿通孔と、一部の固定具が第１の挿通孔を貫通している方向に張り出すように湾曲しており且つ第１方向に延びているとともに第１の挿通孔の開口が設けられた第２の凸状湾曲面と、を有している固定補助具、を含んでいる。湾曲部が、湾曲している板状の部分である。第２の凸状湾曲面が、湾曲部の第１の凸状湾曲面とは逆側の凹状の湾曲面に沿って配されている。そして、桁部材は、湾曲部上に孔部と第１の長孔とが連通するように載置され、孔部と第１の長孔とに対して一部の固定具が挿通された状態で梁部材に固定されている。
太陽電池アレイ用架台の一態様は、複数本の柱部材と、複数本の梁部材と、２本の桁部材と、を備える。複数本の柱部材は、設置面に立てられている。複数本の梁部材は、複数本の柱部材のうちの１本以上の柱部材によってそれぞれ支持されているとともに第１方向に沿った長手方向をそれぞれ有しており且つ第１方向に直交する第２方向において互いに離れて位置している。２本の桁部材は、複数本の梁部材のうちの２本の梁部材の間に架設されており、該２本の梁部材のそれぞれに複数の固定具によって固定されている。ここで、各桁部材が、各梁部材上に配されている。また、２本の梁部材のそれぞれが、桁部材側において該桁部材側に張り出すように湾曲しており且つ第１方向に延びている第１の凸状湾曲面を有する湾曲部を含んでいる。また、湾曲部が、複数の固定具のうちの一部の固定具が挿通されている第１の長孔、を有している。該第１の長孔が、設置面に向けて平面透視した場合に第２方向に沿った長手方向を有しているとともに、第１の凸状湾曲面に開口を有している。さらに、複数の固定具が、各梁部材の設置面側にそれぞれ配されているとともに、一部の固定具が挿通されている第１の挿通孔と、一部の固定具が第１の挿通孔を貫通している方向に張り出すように湾曲しており且つ第１方向に延びているとともに第１の挿通孔の開口が設けられた第２の凸状湾曲面と、を有している固定補助具、を含んでいる。２本の梁部材のうちの少なくとも１本の梁部材が、１本以上の柱部材に固定されているとともに第１方向に沿った長手方向を有しており且つ第２の長孔が設けられた第１部材と、該第１部材の桁部材側に配されており且つ湾曲部を含んでいる第２部材と、を含んでいる。そして、一部の固定具が、第１の長孔と、第２の長孔と、第１の挿通孔と、に挿通されている。
【発明の効果】
【００１１】
平坦でない場所に太陽電池アレイを容易に設置可能な架台の耐久性と生産性を改善することができる。
【図面の簡単な説明】
【００１２】
【図１】太陽電池アレイの一例の概略的な構成を示す図である。
【図２】太陽電池アレイの一例の外観の一部を概略的に示す斜視図である。
【図３】太陽電池アレイの一例の一部の構成を概略的に示す分解斜視図である。
【図４】太陽電池アレイの一例の一部の構成を概略的に示す断面図である。
【図５】梁部材に対する桁部材の取り付け角度の調整態様を例示する図である。
【図６】梁部材に対する桁部材の取り付け角度の調整態様を例示する図である。
【図７】太陽電池モジュールの一例の外観を概略的に示す平面図である。
【図８】太陽電池モジュールの一例の構成を概略的に示す断面図である。
【図９】太陽電池アレイの一例の一部の構成を概略的に示す分解斜視図である。
【図１０】座金部の一例の外観を概略的に示す斜視図である。
【図１１】座金部の一例の外観を概略的に示す斜視図である。
【図１２】太陽電池アレイの一例の一部の構成を概略的に示す断面図である。
【図１３】座金部の一例の外観を概略的に示す斜視図である。
【図１４】太陽電池アレイの一例の一部の構成を概略的に示す分解斜視図である。
【図１５】梁部材に対する桁部材の取り付け角度の調整態様を例示する図である。
【図１６】梁部材に対する桁部材の取り付け角度の調整態様を例示する図である。
【図１７】太陽電池アレイの一例の一部の構成を概略的に示す分解斜視図である。
【図１８】太陽電池アレイの一例の一部の構成を概略的に示す側面図である。
【図１９】梁部材に対する桁部材の取り付け角度の調整態様を例示する図である。
【図２０】梁部材に対する桁部材の取り付け角度の調整態様を例示する図である。
【図２１】架台の一例の一部の構成を概略的に示す側面図である。
【発明を実施するための形態】
【００１３】
以下、一実施形態および各種変形例を図面に基づいて説明する。なお、図面においては同様な構成および機能を有する部分については同じ符号が付されており、下記説明では重複説明が省略される。また、図面は模式的に示されたものであり、各図における各種構造のサイズおよび位置関係等は適宜変更され得る。図１から図６、図９から図２１には、柱部材２１（図２等）の長手方向を＋Ｚ方向とし、梁部材２２（図２等）の長手方向を＋Ｙ方向とする、右手系のＸＹＺ座標系が付されている。また、図７および図８には、太陽電池モジュール３の短手方向を＋ｘ方向とし、太陽電池モジュール３の長手方向を＋ｙ方向とし、太陽電池モジュール３の厚さ方向を＋ｚ方向とする、右手系のｘｙｚ座標系が付されている。さらに、図３から図６、図９、図１２、図１４から図１７、図１９および図２０には、固定具の中心軸が一点鎖線で描かれている。
【００１４】
＜１．一実施形態＞
＜１−１．太陽電池アレイの概略的な構成＞
図１で示されるように、太陽電池アレイ１は、設置面Ｇ０の上に配設されている。ここでは、設置面Ｇ０としては、例えば、平坦でない面が採用される。平坦でない面としては、例えば、山間および斜面等といった凹凸を有する地面等が考えられる。
【００１５】
太陽電池アレイ１は、例えば、太陽電池アレイ用架台（以下、単に架台と称する）２と、この架台２の上に配列された多数の太陽電池モジュール３と、を備えている。架台２は、例えば、多数の太陽電池モジュール３を設置面Ｇ０上に配置するための骨組みである。太陽電池モジュール３は、例えば、電気的に接続された複数の太陽電池素子３３１（図７参照）を有する一枚の板状の構成（太陽光発電パネルとも呼ばれる）である。
【００１６】
図２には、図１において矢印で示された部分Ａ２が概略的に示されている。設置面Ｇ０に対して架台２が設けられている。そして、この架台２の上に複数の太陽電池モジュール３が配列されている。
【００１７】
架台２は、例えば、金属製の複数の部材が組み合わされることで構成され得る。この架台２は、複数本の柱部材２１と、複数本の梁部材２２と、複数本の桁部材２３とを備えている。
【００１８】
複数本の柱部材２１は、設置面Ｇ０に立てられている。ここでは、例えば、柱部材２１の下部が設置面Ｇ０に直接埋設されてもよいし、柱部材２１が設置面Ｇ０に対してコンクリート等で構成される基礎を介して立てられてもよい。図２の例では、各柱部材２１が、上下方向（±Ｚ方向）に伸びるように設けられている。ここでは、例えば、上方（＋Ｚ側）から平面透視した場合に、Ｘ方向に並ぶ複数本の柱部材２１によってそれぞれ構成される複数列の柱部材２１がＹ方向に並べられている。なお、図２には、＋Ｘ方向に並ぶ３本の柱部材２１によってそれぞれ構成される２列の柱部材２１がＹ方向に並べられた、合計６本の柱部材２１の配列が示されている。
【００１９】
複数本の梁部材２２は、複数本の柱部材２１によって支持されている。図２の例では、各梁部材２２は、２本の柱部材２１によって支持されている。具体的には、例えば、各梁部材２２は、＋Ｙ方向に相互に離れて位置する２本の柱部材２１によって支持されている。換言すれば、各梁部材２２は、＋Ｙ方向に相互に離れて位置する２本の柱部材２１の間に架設されている。このとき、各梁部材２２は、第１方向としての＋Ｙ方向に沿った長手方向を有している。そして、複数本の梁部材２２は、第１方向（＋Ｙ方向）に直交する第２方向としての＋Ｘ方向において互いに離れて位置している。ここでは、例えば、２本の柱部材２１のそれぞれの上部に１本の梁部材２２が取り付けられている。
【００２０】
複数本の桁部材２３は、複数本の梁部材２２の間に架設されている。図２の例では、各桁部材２３が、２本の梁部材２２の間に架設されている。具体的には、例えば、＋Ｘ方向に離れている２本の梁部材２２の間に、３本の桁部材２３が架設されている。そして、３本の柱部材２１の間に、６本の梁部材２２が架設されている。ここでは、例えば、各桁部材２３が、各梁部材２２の設置面Ｇ０とは逆側に配されている。つまり、各桁部材２３が、各梁部材２２上に配されている。図２の例では、３本の梁部材２２の上側に６本の桁部材２３が複数の固定具によって固定されている。ここでは、２本の梁部材２２のそれぞれに、複数本の桁部材２３のそれぞれが、複数の固定具によって固定されている。
【００２１】
ここでは、図３で示されるように、複数の固定具には、例えば、外周部に雄ネジ部が形成された軸部Ｐ１を有する第１締結部Ｂ１と、内周部に雄ネジ部と嵌まり合う雌ネジ部が形成された第２締結部Ｎ１と、が含まれ得る。これにより、例えば、梁部材２２に対して桁部材２３が締結によって容易に固定され得る。具体的には、例えば、第１締結部Ｂ１として、頭部Ｈ１から軸部Ｐ１が突出しているボルトが採用され、第２締結部Ｎ１として、ナットが採用され得る。このとき、例えば、第１締結部Ｂ１と第２締結部Ｎ１とによる締結を補助するための部材として環状の座金Ｗ１が採用され得る。この座金Ｗ１としては、例えば、ワッシャーが採用され得る。
【００２２】
また、図２の例では、２本の桁部材２３によって、３枚の太陽電池モジュール３が保持されている。具体的には、例えば、＋Ｙ方向に離れている２本の桁部材２３の間に、３枚の太陽電池モジュール３が保持されている。そして、例えば、＋Ｙ方向に並ぶ３本の桁部材２３の間に６枚の太陽電池モジュール３が保持されている。
【００２３】
なお、図２の例では、Ｙ方向に２列の太陽電池モジュール３が並べられているが、これに限られない。例えば、Ｙ方向に３列以上の太陽電池モジュール３が並べられていてもよいし、１列の太陽電池モジュール３のみが配列されてもよい。つまり、例えば、架台２の上に１列以上の太陽電池モジュール３が配列される構成が採用され得る。また、例えば、＋Ｙ方向に離れている２本の桁部材２３の間に、１枚以上の太陽電池モジュール３が保持されてもよい。
【００２４】
＜１−２．架台の構成＞
図３には、図２において破線で囲まれた部分Ａ３の外観が概略的に示されている。具体的には、柱部材２１に対して、梁部材２２および桁部材２３が取り付けられる構造の一例が示されている。図４には、図２において破線で囲まれた部分Ａ３の断面が概略的に示されている。
【００２５】
例えば、梁部材２２は、柱部材２１の上部２１ｕに対して固定具Ｆｘ１によって固定されている。図３の例では、１本の柱部材２１の上部に２１ｕに対して、１本の梁部材２２が４つの固定具Ｆｘ１によって固定されている。固定具Ｆｘ１としては、例えば、ボルトおよびナットの組等が採用され得る。ここで、例えば、柱部材２１の上部２１ｕおよび梁部材２２の何れか一方に設けられたボルトが挿通される孔部が、開口が±Ｚ方向に延びている長孔であれば、柱部材２１の位置および角度に若干のずれが生じても、梁部材２２が柱部材２１に対して容易に固定され得る。
【００２６】
梁部材２２は、例えば、桁部材２３が固定される部分（被固定部とも言う）２２ｕを有している。図３の例では、梁部材２２は、梁部材本体２２ｂと、被固定部２２ｕとを有している。
【００２７】
梁部材本体２２ｂは、柱部材２１に固定されており且つ第１方向（＋Ｙ方向）に沿った長手方向を有する。本実施形態では、梁部材本体２２ｂは、例えば、２本の柱部材２１の間に架設され、この２本の柱部材２１のそれぞれに対して固定されている。
【００２８】
被固定部２２ｕは、梁部材本体２２ｂに対して固定されており且つ第１方向（＋Ｙ方向）において梁部材本体２２ｂよりも短い。これにより、例えば、被固定部２２ｕの製作に要する材料の使用量が低減され得る。
【００２９】
図３の例では、被固定部２２ｕは、下部に設けられた取付部２２Ｌにおいて、固定具Ｆｘ１によって梁部材本体２２ｂに固定されている。ここで、例えば、取付部２２ＬのＸＺ断面が、梁部材本体２２ｂの外縁に沿ったＬ字状のＸＺ断面を有していれば、被固定部２２ｕが、梁部材本体２２ｂに安定して固定され得る。また、被固定部２２ｕは、湾曲部Ｃ１を含んでいる。図３および図４の例では、被固定部２２ｕの上部に、第２方向（＋Ｘ方向）に並んでいる２つの湾曲部Ｃ１が設けられている。
【００３０】
湾曲部Ｃ１は、第１の凸状の湾曲面（凸状湾曲面ともいう）Ｓｐ１を有している。この第１の凸状湾曲面Ｓｐ１は、桁部材２３側（ここでは、＋Ｚ方向）においてこの桁部材２３側に張り出すように湾曲しており且つ第１方向（＋Ｙ方向）に伸びている。換言すれば、湾曲部Ｃ１では、長手方向（＋Ｙ方向）に垂直な断面（ＸＺ断面）における上側（＋Ｚ側）の外縁部が湾曲している。図３および図４の例では、湾曲部Ｃ１は、湾曲している板状の部分である。この場合、湾曲部Ｃ１は、凹状の湾曲面（凹状湾曲面ともいう）Ｓｒ１を有している。この凹状湾曲面Ｓｒ１は、設置面Ｇ０側において桁部材２３側に窪むように湾曲しており且つ第１方向（＋Ｙ方向）に延びている。つまり、湾曲部Ｃ１は、第１の凸状湾曲面Ｓｐ１の逆側に凹状湾曲面Ｓｒ１を有している。
【００３１】
また、湾曲部Ｃ１は、長孔Ｈ０を有している。この長孔Ｈ０は、例えば、上方から設置面Ｇ０に向けて平面透視した場合に、第２方向としての＋Ｘ方向に長手方向を有しているとともに第１の凸状湾曲面Ｓｐ１に開口を有している。つまり、長孔Ｈ０は、第１の凸状湾曲面Ｓｐ１の湾曲方向に沿った長手方向を有している。この長孔Ｈ０には、複数の固定具を構成する一部の固定具が挿通される。ここで、上記一部の固定具には、例えば、第１締結部Ｂ１としてのボルトが採用され得る。
【００３２】
また、図３および図４の例では、湾曲部Ｃ１には、１本の桁部材２３ごとにこの桁部材２３を固定するための一対の長孔Ｈ０が設けられている。この一対の長孔Ｈ０は、第１方向（＋Ｙ方向）に相互に離れている平行な２つの長孔Ｈ０によって構成される。
【００３３】
桁部材２３は、例えば、桁部材本体２３ｍと、第１挟持部２３ｓ１と、第２挟持部２３ｓ２とを有している。
【００３４】
例えば、図３および図４で示されるように、第１締結部Ｂ２としてのボルトと、第２締結部Ｎ２としてのナットと、環状の座金Ｗ２とを用いた締結によって、桁部材本体２３ｍ上に、第１挟持部２３ｓ１と第２挟持部２３ｓ２とが取り付けられる。このとき、例えば、第１挟持部２３ｓ１と第２挟持部２３ｓ２との間に第１方向（＋Ｙ方向）に凹んでおり且つ桁部材２３の長手方向に沿って延びている凹部２３ｇ１が形成され得る。また、第２挟持部２３ｓ２には、第１方向（＋Ｙ方向）の逆方向（−Ｙ方向）に凹んでおり且つ桁部材２３の長手方向に沿って延びている凹部２３ｇ２が形成されている。ここでは、例えば、凹部２３ｇ１に、太陽電池モジュール３の＋Ｙ側の端部が挿入されることで、この太陽電池モジュール３が桁部材２３に固定され得る。また、例えば、凹部２３ｇ２に、太陽電池モジュール３の−Ｙ側の端部が挿入されることで、この太陽電池モジュール３が桁部材２３に固定され得る。
【００３５】
桁部材本体２３ｍは、例えば、ＹＺ断面が上方に突出するような下向きのＵ字状の形状を有している。そして、例えば、桁部材本体２３ｍの下方の両端部には、それぞれ外方に向けて延びるフランジ部２３ｆが設けられている。このフランジ部２３ｆは、湾曲部Ｃ１に取り付けられる部分（被取付部ともいう）である。
【００３６】
図３および図４の例では、桁部材本体２３ｍの下方の−Ｙ側に−Ｙ方向に延びるフランジ部２３ｆが設けられ、桁部材本体２３ｍの下方の＋Ｙ側に＋Ｙ方向に延びるフランジ部２３ｆが設けられている。そして、各フランジ部２３ｆのうちの桁部材２３の長手方向に沿った両端部の近傍に、孔部２３ｈが設けられている。つまり、桁部材２３の両端部には、それぞれ一対の孔部２３ｈが設けられている。
【００３７】
ここでは、例えば、一対の孔部２３ｈが湾曲部Ｃ１の一対の長孔Ｈ０と連通するように、桁部材本体２３ｍが湾曲部Ｃ１上に載置される。そして、連通している孔部２３ｈと長孔Ｈ０とに対して、第１締結部Ｂ１の軸部Ｐ１が挿通される。ここで、例えば、孔部２３ｈが、開口が桁部材２３の長手方向に延びる長孔であれば、桁部材２３が架設される２本の梁部材２２の間の距離にずれが生じても、２本の梁部材２２の間に桁部材２３が固定具によって容易に固定され得る。
【００３８】
また、図３および図４の例では、複数の固定具には、梁部材２２に対する桁部材２３の固定を補助するための固定具（固定補助具ともいう）２５が含まれている。ここでは、固定補助具２５は、各梁部材２２の設置面Ｇ０側にそれぞれ配置される。この固定補助具２５は、例えば、固定具による梁部材２２と桁部材２３との固定を安定させるための座金の役割を果たし得る。
【００３９】
図３および図４で示されるように、固定補助具２５は、例えば、第１の挿通孔２５ｈと、第２の凸状の湾曲面（凸状湾曲面ともいう）Ｓｐ２とを有している。第１の挿通孔２５ｈは、一部の固定具として第１締結部Ｂ１が挿通される孔部である。第２の凸状湾曲面Ｓｐ２は、一部の固定具としての第１締結部Ｂ１が第１の挿通孔２５ｈを貫通している方向に張り出すように湾曲しており且つ第１方向（＋Ｙ方向）に延びている。具体的には、例えば、固定補助具２５は、長手方向（＋Ｙ方向）に垂直な断面（ＸＺ断面）における上側（＋Ｚ側）の外縁部が湾曲している。また、第２の凸状湾曲面Ｓｐ２には、第１の挿通孔２５ｈの開口が設けられている。
【００４０】
ここで、図３および図４の例では、各梁部材２２が、板状の湾曲部Ｃ１を有している。そして、固定補助具２５の第２の凸状湾曲面Ｓｐ２が、梁部材２２の湾曲部Ｃ１の第１の凸状湾曲面Ｓｐ１とは逆側の凹状湾曲面Ｓｒ１に沿って配される。これにより、固定補助具２５では、凹状湾曲面Ｓｒ１に沿って第２の凸状湾曲面Ｓｐ２が回転可能となる。つまり、梁部材２２に対して桁部材２３が取り付けられる角度が変更されても、例えば、固定補助具２５の回転によって、梁部材２２に対して桁部材２３が容易に固定され得る。
【００４１】
そして、例えば、凹状湾曲面Ｓｒ１に沿って第２の凸状湾曲面Ｓｐ２が配される固定補助具２５が採用されれば、第１締結部Ｂ１の頭部Ｈ１、環状の座金Ｗ１および第２締結部Ｎ１のみを用いた場合よりも、固定具と梁部材２２との接触面積が拡大され得る。その結果、例えば、固定具による梁部材２２と桁部材２３との固定部分におけるがたつきが生じ難く、固定具による梁部材２２と桁部材２３との固定が安定して維持され得る。
【００４２】
＜１−３．架台の設置＞
図５および図６には、架台２が設置される際に、梁部材２２に対する桁部材２３の取り付け角度が調整される態様が例示されている。図５および図６には、湾曲部Ｃ１の長孔Ｈ０に沿ったＸＺ断面が例示されている。
【００４３】
まず、例えば、図５および図６で示されるように、柱部材２１の上部２１ｕに梁部材２２が固定され、梁部材２２の被固定部２２ｕの湾曲部Ｃ１上に載置される桁部材２３の角度が、第１の凸状湾曲面Ｓｐ１上で適宜調整され得る。このとき、例えば、被固定部２２ｕの湾曲部Ｃ１における設置面Ｇ０側の凹状湾曲面Ｓｒ１に沿って固定補助具２５が回転されることで、固定補助具２５の角度が適宜調整され得る。
【００４４】
ここで、例えば、固定補助具２５の第１の挿通孔２５ｈの貫通方向が、桁部材２３の長手方向に対して垂直な方向に合わされる。このとき、例えば、桁部材２３の孔部２３ｈと、湾曲部Ｃ１の長孔Ｈ０と、固定補助具２５の第１の挿通孔２５ｈとが連通しており、孔部２３ｈと、長孔Ｈ０と、第１の挿通孔２５ｈとに、第１締結部Ｂ１としてのボルトの軸部Ｐ１が挿通される。そして、軸部Ｐ１の外周に環状の座金Ｗ１が嵌められ、この軸部Ｐ１に対して第２締結部Ｎ１としてのナットが嵌め合わされる。このとき、第１締結部Ｂ１と第２締結部Ｎ１との間に、桁部材２３のフランジ部２３ｆと、湾曲部Ｃ１と、固定補助具２５と、環状の座金Ｗ１とが挟まれた状態で、第１締結部Ｂ１と第２締結部Ｎ１とが相互に締め付けられる。
【００４５】
これにより、梁部材２２に対して、桁部材２３が所望の角度で固定され得る。換言すれば、設置面Ｇ０の凹凸に合わせて、桁部材２３が配設される角度が調整され得る。すなわち、設置面Ｇ０の凹凸に合わせた架台２の設置が可能となる。そして、桁部材２３が配設される角度が調整された架台２に対して太陽電池モジュール３が取り付けられ得る。つまり、例えば、設置面Ｇ０が凹凸を有していても、太陽電池モジュール３が配設され得る。したがって、平坦でない場所に対して、太陽電池アレイ１が容易に設置され得る。
【００４６】
＜１−４．太陽電池モジュールの構成＞
図７には、太陽電池モジュール３のうち、光電変換に用いられる光を主として受光する第１面（受光面ともいう）３ａ側から見た外観が示されている。図８には、図７のVIII−VIII線に沿って切断した太陽電池モジュール３の概略的な断面が示されている。
【００４７】
図７および図８で示されるように、太陽電池モジュール３は、主として光を受光する第１面（受光面）３ａと、この第１面３ａの裏面に相当する第２面３ｂとを有している。そして、太陽電池モジュール３は、第１面３ａ側から第２面３ｂに向けて、順に、透光性基板３１と、表面側封止層３２と、太陽電池ストリング３３と、裏面側封止層３４と、裏面保護シート３５とが積層された積層体を有している。ここでは、例えば、透光性基板３１の表面が第１面３ａであり、裏面保護シート３５の表面が第２面３ｂである。
【００４８】
ここで、透光性基板３１は、例えば、ガラス等の光を透過させることが可能な透明な材料によって構成された平板が採用され得る。表面側封止層３２および裏面側封止層３４は、例えば、熱硬化性樹脂等によって構成され得る。太陽電池ストリング３３は、例えば、複数の太陽電池素子３３１と、この複数の太陽電池素子３３１を電気的に接続するインナーリード３３２とによって構成され得る。各太陽電池素子３３１には、例えば、結晶シリコン等の結晶系の半導体、アモルファスシリコン等の非晶質系の半導体、銅とインジウムとガリウムとセレンの４種類の元素を用いた化合物半導体、カドミウムテルル（ＣｄＴｅ）を用いた化合物半導体等が適用され得る。太陽電池ストリング３３は、例えば、表面側封止層３２と裏面側封止層３４とによって挟まれることで、封止され得る。裏面保護シート３５としては、例えば、樹脂製のシートが採用され得る。
【００４９】
また、太陽電池モジュール３は、第２面３ｂ上に設けられた端子ボックス３６を有している。端子ボックス３６は、例えば、太陽電池ストリング３３で得られた出力を外部に取り出すことができる。端子ボックス３６は、例えば、変性ポリフェニレンエーテル（変性ＰＰＥ）樹脂またはポリフェニレンオキサイド（ＰＰＯ）樹脂の箱体と、この箱体内に配置されるターミナル板と、箱体の外部へ電力を導出する出力ケーブルとを有する。
【００５０】
なお、図７および図８には、上記積層体の外周部にフレーム部材が取り付けられていないフレームレスの太陽電池モジュール３が例示されていたが、これに限られない。例えば、太陽電池モジュール３は、上記積層体の外周部にフレーム部材が取り付けられたものであってもよい。このフレーム部材は、例えば、アルミニウムの押し出し成型等によって製造され得る。
【００５１】
＜１−５．一実施形態のまとめ＞
以上のように、一実施形態に係る太陽電池アレイ１および架台２によれば、例えば、梁部材２２の被固定部２２ｕの湾曲部Ｃ１上において、湾曲部Ｃ１の第１の凸状湾曲面Ｓｐ１に沿って桁部材２３が回転され得る。このため、桁部材２３の角度が適宜調整されて、梁部材２２に桁部材２３が固定され得る。これにより、例えば、設置面Ｇ０の凹凸に合わせて、桁部材２３が配設される角度が調整されて、設置面Ｇ０の凹凸に合わせた架台２が設置され得る。そして、このようにして、桁部材２３が配設される角度が調整された架台２が設置されることで、設置面Ｇ０の凹凸に合わせて、架台２に対して太陽電池モジュール３が取り付けられ得る。したがって、例えば、設置面Ｇ０の傾斜が急な場合、および柱部材２１が配設される位置ごとに高低差がある場合等であっても、容易に太陽電池アレイ１が設置され得る。すなわち、平坦でない場所に対して、太陽電池アレイ１が容易に設置され得る。
【００５２】
また、太陽電池アレイ１および架台２は、簡素な形状の被固定部２２ｕの湾曲部Ｃ１に桁部材２３を接触させる位置により、桁部材２３の角度を調整する機構を有する。また、被固定部２２ｕは長手方向に沿って同じ断面形状の棒状部材であることから、板材をロール成形することで容易に製造でき生産性に優れる。さらに、太陽電池アレイ１および架台２は、隣り合う梁部材２２の湾曲部Ｃ１上に桁部材２３を載置すると、隣接する梁部材２２の高低差に合わせて桁部材２３の角度が自動的に決まる構造であることから、施工性に優れる。また、太陽電池アレイ１および架台２は、被固定部２２ｕと桁部材２３という単純な形状の大型の部材同士の組み合わせからなる。このため、積雪時等に高い負荷を受けても歪みが生じにくく、仮に歪みが生じても桁部材２３の脱落等を生じにくい構造であることから破損しにくく耐久性に優れている。
【００５３】
＜２．変形例＞
なお、本発明は上記の一実施形態に限定されるものではなく、本発明の要旨を逸脱しない範囲において種々の変更、改良等が可能である。
【００５４】
＜２−１．第１変形例＞
上記一実施形態に係る太陽電池アレイ１において、例えば、第１締結部Ｂ１および第２締結部Ｎ１の何れか一方が回転しないような構造が採用されてもよい。この場合、例えば、第１締結部Ｂ１および第２締結部Ｎ１の残りの部材が回転されることで、梁部材２２に対して桁部材２３が締結によって容易に固定され得る。
【００５５】
図９では、上記一実施形態に係る太陽電池アレイ１の構成がベースとされて、フランジ部２３ｆと第１締結部Ｂ１の頭部Ｈ１との間に座金部Ｗ２Ａが追加された構成の一例が示されている。図１０および図１１には、座金部Ｗ２Ａの構成の一例が示されている。
【００５６】
図９から図１１の例では、梁部材２２に桁部材２３を固定するための複数の固定具に、例えば、桁部材２３の梁部材２２とは逆側に配されている座金部Ｗ２Ａが含まれている。ここでは、座金部Ｗ２Ａは、例えば、本体部Ｗ２ｂと、第２の挿通孔Ｗ２ｈと、凹部Ｗ２ｒと、ストッパ部Ｗ２ｓとを有している。
【００５７】
ここで、第２の挿通孔Ｗ２ｈは、例えば、本体部Ｗ２ｂとストッパ部Ｗ２ｓとを貫通する貫通孔であり、第１締結部Ｂ１の軸部Ｐ１が挿通される。
【００５８】
凹部Ｗ２ｒは、例えば、第１締結部Ｂ１の頭部Ｈ１の外周部が嵌められる部分である。例えば、頭部Ｈ１の外周部は、軸部Ｐ１の延びる方向に頭部Ｈ１を平面視した場合の外形に相当する。ここでは、例えば、頭部Ｈ１が軸部Ｐ１の延びる方向に凹部Ｗ２ｒに挿入された場合に、頭部Ｈ１が凹部Ｗ２ｒに嵌め合わされる態様が考えられる。図９から図１１の例では、頭部Ｈ１が、軸部Ｐ１の中心軸を中心とした正六角柱の形状を有しており、凹部Ｗ２ｒの内部空間は、第２の挿通孔Ｗ２ｈの中心軸を中心とした正六角柱状の形状を有している態様が考えられる。
【００５９】
ストッパ部Ｗ２ｓは、例えば、軸部Ｐ１を中心とした座金部Ｗ２Ａの回転が桁部材２３と接することで止められる部分である。図９から図１１の例では、ストッパ部Ｗ２ｓは、本体部Ｗ２ｂから第２の挿通孔Ｗ２ｈの貫通方向に沿って突起した部分である。このストッパ部Ｗ２ｓは、例えば、第２の挿通孔Ｗ２ｈを挟んだ略平行な２平面Ｓｗ１，Ｓｗ２を有している。ここでは、例えば、ストッパ部Ｗ２ｓが、孔部２３ｈの長手方向に延びる内周面に嵌め合わされるように、孔部２３ｈに挿入され得る。
【００６０】
このような座金部Ｗ２Ａが採用されれば、例えば、孔部２３ｈに座金部Ｗ２Ａのストッパ部Ｗ２ｓが嵌め合わされた状態で、第２の挿通孔Ｗ２ｈと孔部２３ｈとに第１締結部Ｂ１が挿通されて、頭部Ｈ１が凹部Ｗ２ｒに嵌め合わされる。これにより、例えば、この第１締結部Ｂ１に嵌め合わされる第２締結部Ｎ１が回転させられても、ストッパ部Ｗ２ｓが孔部２３ｈの内周部に引っ掛かる。そして、第２締結部Ｎ１の回転に伴って第１締結部Ｂ１が回転する供回りの発生が抑制される。このため、第１締結部Ｂ１と第２締結部Ｎ１とが相互に容易に締め付けられ得る。その結果、例えば、梁部材２２に対して桁部材２３が締結によって容易に固定され得る。
【００６１】
なお、ここで、例えば、第１締結部Ｂ１と第２締結部Ｎ１とが入れ替えられてもよい。この場合、凹部Ｗ２ｒには、例えば、第２締結部Ｎ１の外周部が嵌められる。そして、例えば、孔部２３ｈに座金部Ｗ２Ａのストッパ部Ｗ２ｓが嵌め合わされた状態で、第２締結部Ｎ１が凹部Ｗ２ｒに嵌め合わされる。これにより、例えば、下方から延びる軸部Ｐ１に第２締結部Ｎ１が嵌め合わされた状態で、第１締結部Ｂ１が回転させられても、ストッパ部Ｗ２ｓが孔部２３ｈの内周部に引っ掛かる。そして、第１締結部Ｂ１の回転に伴って第２締結部Ｎ１が回転する供回りの発生が抑制される。その結果、例えば、梁部材２２に対して桁部材２３が締結によって容易に固定され得る。
【００６２】
また、図９から図１１で示された座金部Ｗ２Ａの代わりに、例えば、図１２および図１３で示される座金部Ｗ２Ｂが採用されてもよい。
【００６３】
ここでは、座金部Ｗ２Ｂは、例えば、底部Ｂｗ２と、第２の挿通孔Ｗ２ｈと、凹部Ｗ２ｒＢと、ストッパ部Ｗ２ｓＢとを有している。
【００６４】
ここで、第２の挿通孔Ｗ２ｈは、例えば、平板状の底部Ｂｗ２を貫通する貫通孔であり、第１締結部Ｂ１の軸部Ｐ１が挿通される。
【００６５】
凹部Ｗ２ｒＢは、例えば、第１締結部Ｂ１の頭部Ｈ１の外周部が嵌められる部分である。ここでは、例えば、頭部Ｈ１が軸部Ｐ１の延びる方向に凹部Ｗ２ｒＢに挿入された場合に、頭部Ｈ１が凹部Ｗ２ｒＢに嵌め合わされる。図１２および図１３の例では、頭部Ｈ１が、軸部Ｐ１の中心軸を中心とした正六角柱の形状を有している。そして、凹部Ｗ２ｒＢの内部空間は、頭部Ｈ１の外周部の略平行な２辺が嵌まるように底部Ｂｗ２から垂直に立てられた略平行な一対の壁部Ｓｗ２ａ，Ｓｗ２ｂによって形成されている。
【００６６】
ストッパ部Ｗ２ｓＢは、例えば、軸部Ｐ１を中心とした座金部Ｗ２Ｂの回転が桁部材２３と接することで止められる。図１２および図１３の例では、ストッパ部Ｗ２ｓＢは、底部Ｂｗ２が延ばされた部分とこの部分から上方に立てられた部分とを有するＬ字状の断面を有する部分である。このストッパ部Ｗ２ｓＢは、例えば、第２の挿通孔Ｗ２ｈが基準とされて凹部Ｗ２ｒＢよりも外側に設けられており、第２の挿通孔Ｗ２ｈの中心軸に対して略平行な面を有している。ここでは、ストッパ部Ｗ２ｓＢが桁部材本体２３ｍと接触するように、フランジ部２３ｆ上に配される。
【００６７】
このような座金部Ｗ２Ｂが採用されれば、例えば、フランジ部２３ｆ上に座金部Ｗ２Ｂが載置された状態で、第２の挿通孔Ｗ２ｈと孔部２３ｈとに第１締結部Ｂ１が挿通されて、頭部Ｈ１が凹部Ｗ２ｒＢに嵌め合わされる。これにより、例えば、この第１締結部Ｂ１に嵌め合わされる第２締結部Ｎ１が回転させられても、ストッパ部Ｗ２ｓＢが桁部材本体２３ｍに引っ掛かる。そして、第２締結部Ｎ１の回転に伴って第１締結部Ｂ１が回転する供回りの発生が抑制される。このため、第１締結部Ｂ１と第２締結部Ｎ１とが容易に相互に締め付けられ得る。その結果、例えば、梁部材２２に対して桁部材２３が締結によって容易に固定され得る。
【００６８】
＜２−２．第２変形例＞
上記第一実施形態および上記第１変形例に係る太陽電池アレイ１では、梁部材本体２２ｂの上部に被固定部２２ｕが固定された梁部材２２が採用されていたが、これに限られない。例えば、梁部材２２が、梁部材本体２２ｂＣの上面部２２ｆＣの上面上において摺り動かすことが可能な被固定部２２ｕＣを有する梁部材２２Ｃに置換されてもよい。このとき、固定補助具２５は、例えば、梁部材本体２２ｂＣの上面部２２ｆＣの下面上において摺り動かすことが可能である固定補助具２５Ｃに置換され得る。
【００６９】
図１４には、上記一実施形態に係る太陽電池アレイ１の構成がベースとされた太陽電池アレイ１Ｃの構成の一例が示されている。ここで、梁部材２２が梁部材２２Ｃに置換されるとともに、固定補助具２５が固定補助具２５Ｃに置換されて、架台２が架台２Ｃに変更されている。図１５および図１６には、架台２Ｃが設置される際に、梁部材２２Ｃに対する桁部材２３の取り付け角度が調整される態様が例示されている。図１５および図１６には、湾曲部Ｃ１Ｃの長孔Ｈ０Ｃに沿ったＸＺ断面が例示されている。
【００７０】
図１４から図１６の例では、梁部材２２Ｃは、第１部材としての梁部材本体２２ｂＣと、第２部材としての被固定部２２ｕＣとを有している。
【００７１】
梁部材本体２２ｂＣは、上記一実施形態に係る梁部材本体２２ｂと同様に、柱部材２１に固定されており且つ第１方向（＋Ｙ方向）に沿った長手方向を有する。本変形例では、梁部材本体２２ｂＣは、例えば、２本の柱部材２１の間に架設され、この２本の柱部材２１のそれぞれに対して固定されている。被固定部２２ｕＣは、梁部材本体２２ｂＣに対して摺り動かされた後にこの梁部材本体２２ｂＣに対して固定され且つ第１方向（＋Ｙ方向）において梁部材本体２２ｂＣよりも短い。これにより、例えば、被固定部２２ｕＣの製作に要する材料の使用量が低減され得る。
【００７２】
図１４から図１６の例では、梁部材本体２２ｂＣは、上方（ここでは＋Ｚ方向）に向いた上面部２２ｆＣと、この上面部２２ｆＣから設置面Ｇ０に向けて略垂直に垂下されている垂下部２２ｓＣとを有している。つまり、梁部材本体２２ｂＣは、ＸＺ断面がＬ字状の断面を有している。
【００７３】
上面部２２ｆＣは、例えば、被固定部２２ｕＣを下方（−Ｚ側）から支持することができる板状の部分である。また、上面部２２ｆＣには、例えば、この上面部２２ｆＣの平坦な上面の上で被固定部２２ｕＣを摺り動かすための経路を規定する長孔Ｈ２Ｃが設けられている。長孔Ｈ２Ｃは、上面部２２ｆＣを厚さ方向に貫通する貫通孔である。長孔Ｈ２Ｃの長手方向は、例えば、上面部２２ｆＣの短手方向（ここでは、＋Ｘ方向）に沿った方向である。図１４から図１６の例では、１つの被固定部２２ｕＣに対して、上面部２２ｆＣの長手方向（ここでは、＋Ｙ方向）に相互に離れている一対の長孔Ｈ２Ｃが設けられている。
【００７４】
被固定部２２ｕＣは、例えば、湾曲部Ｃ１Ｃを含む半円筒状の部材である。この被固定部２２ｕＣは、例えば、固定具を配設するための空間を内部に有するスペーサーとしても働く。図１４から図１６の例では、略平行に配置されている２つの第２部材としての２つの被固定部２２ｕＣが、第２方向（＋Ｘ方向）に並んでいる。
【００７５】
湾曲部Ｃ１Ｃは、第１の凸状湾曲面Ｓｐ１Ｃを有している。この第１の凸状湾曲面Ｓｐ１Ｃは、桁部材２３側（＋Ｚ方向）においてこの桁部材２３側に張り出すように湾曲しており且つ第１方向（＋Ｙ方向）に伸びている。換言すれば、湾曲部Ｃ１Ｃでは、例えば、長手方向（＋Ｙ方向）に垂直な断面（ＸＺ断面）における上側（＋Ｚ側）の外縁部が湾曲している。図１４から図１６の例では、湾曲部Ｃ１Ｃは、半円筒状の被固定部２２ｕＣの外周部において湾曲している板状の部分である。
【００７６】
また、湾曲部Ｃ１Ｃは、長孔Ｈ０Ｃを有している。この長孔Ｈ０Ｃは、上方から設置面Ｇ０に向けて平面透視した場合に、第２方向（＋Ｘ方向）に長手方向を有しているとともに第１の凸状湾曲面Ｓｐ１Ｃに開口を有している。つまり、長孔Ｈ０Ｃは、第１の凸状湾曲面Ｓｐ１Ｃの湾曲方向に沿った長手方向を有している。この長孔Ｈ０Ｃには、複数の固定具を構成する一部の固定具が挿通される。ここで、上記一部の固定具には、例えば、第１締結部Ｂ１としてのボルトが採用され得る。
【００７７】
また、図１４から図１６の例では、湾曲部Ｃ１Ｃには、１本の桁部材２３ごとにこの桁部材２３を固定するための一対の長孔Ｈ０Ｃが設けられている。この一対の長孔Ｈ０Ｃは、第１方向（＋Ｙ方向）に相互に離れている平行な２つの長孔Ｈ０Ｃによって構成される。
【００７８】
また、被固定部２２ｕＣの下部には、一対の長孔Ｈ２Ｃに嵌まり合う少なくとも一対の突起部Ｐｒ１Ｃが設けられている。これにより、例えば、被固定部２２ｕＣは、長孔Ｈ２Ｃに沿って、上面部２２ｆＣの平坦な上面の上で摺り動かされ得る。
【００７９】
また、図１４から図１６の例では、複数の固定具には、梁部材２２Ｃに対する桁部材２３の固定を補助するための固定補助具２５Ｃが含まれている。固定補助具２５Ｃは、各梁部材２２Ｃの設置面Ｇ０側にそれぞれ配置される。この固定補助具２５Ｃは、例えば、固定具による梁部材２２Ｃと桁部材２３との固定を安定させるための座金の役割を果たし得る。
【００８０】
図１４から図１６の例では、固定補助具２５Ｃは、例えば、上述した被固定部２２ｕＣを上下反転させた構成を有している。但し、固定補助具２５Ｃでは、例えば、長孔Ｈ０Ｃは、第１の挿通孔２５ｈＣとしての役割を果たす。また、固定補助具２５Ｃでは、例えば、第１の凸状湾曲面Ｓｐ１Ｃが、第２の凸状湾曲面Ｓｐ２Ｃとしての役割を果たす。第１の挿通孔２５ｈＣには、例えば、一部の固定具として第１締結部Ｂ１が挿通される。第２の凸状湾曲面Ｓｐ２Ｃは、一部の固定具としての第１締結部Ｂ１が第１の挿通孔２５ｈＣを貫通している方向に張り出すように湾曲しており且つ第１方向（＋Ｙ方向）に延びている。例えば、固定補助具２５Ｃでは、長手方向（＋Ｙ方向）に垂直な断面（ＸＺ断面）における下側（−Ｚ側）の外縁部が湾曲している。つまり、固定補助具２５Ｃの第２の凸状湾曲面Ｓｐ２Ｃは、設置面Ｇ０側に向けて張り出すように湾曲している。また、第２の凸状湾曲面Ｓｐ２Ｃには、第１の挿通孔２５ｈＣの開口が設けられている。
【００８１】
上記構成を有する架台２Ｃを備えた太陽電池アレイ１Ｃでは、例えば、図１５および図１６で示されるように、梁部材２２Ｃの被固定部２２ｕＣの湾曲部Ｃ１Ｃ上に桁部材２３が載置されている。桁部材２３の角度は、第１の凸状湾曲面Ｓｐ１Ｃ上で適宜調整され得る。このとき、例えば、梁部材本体２２ｂＣの上面部２２ｆＣに対して被固定部２２ｕＣおよび固定補助具２５Ｃが適宜摺り動かされる。これにより、例えば、上面部２２ｆＣを挟んで配置される被固定部２２ｕＣと固定補助具２５Ｃとの間における第２方向（＋Ｘ方向）に沿ったずれ量が適宜調整され得る。その結果、例えば、被固定部２２ｕＣの長孔Ｈ０Ｃから上面部２２ｆＣの長孔Ｈ２Ｃを介して固定補助具２５Ｃの挿通孔２５ｈＣに向けて、軸部Ｐ１の挿通が可能である方向が適宜調整され得る。
【００８２】
このとき、例えば、桁部材２３の孔部２３ｈと、湾曲部Ｃ１Ｃの長孔Ｈ０Ｃと、固定補助具２５Ｃの第１の挿通孔２５ｈＣとが連通しており、孔部２３ｈと、長孔Ｈ０Ｃと、第１の挿通孔２５ｈＣとに、第１締結部Ｂ１としてのボルトの軸部Ｐ１が挿通される。そして、軸部Ｐ１の外周に環状の座金Ｗ１が嵌められ、この軸部Ｐ１に対して第２締結部Ｎ１としてのナットが嵌め合わされる。このとき、第１締結部Ｂ１と第２締結部Ｎ１との間に、桁部材２３のフランジ部２３ｆと、湾曲部Ｃ１Ｃと、固定補助具２５Ｃと、環状の座金Ｗ１とが挟まれた状態で、第１締結部Ｂ１と第２締結部Ｎ１とが相互に締め付けられる。このとき、例えば、固定補助具２５Ｃの存在によって、例えば、固定具による梁部材２２Ｃと桁部材２３との固定部分におけるがたつきが生じ難く、固定具による梁部材２２Ｃと桁部材２３との固定が安定して維持され得る。
【００８３】
そして、梁部材２２Ｃに対して、桁部材２３が所望の角度で固定されることで、設置面Ｇ０の凹凸に合わせた架台２Ｃの設置が可能となる。その結果、例えば、設置面Ｇ０が凹凸を有していても、太陽電池モジュール３が配設され得る。すなわち、平坦でない場所に対して、太陽電池アレイ１Ｃが容易に設置され得る。
【００８４】
＜２−３．第３変形例＞
上記一実施形態および上記各変形例では、１本の梁部材２２，２２Ｃに対して、互いに平行な複数本の桁部材２３を固定するために、桁部材２３毎に、梁部材本体２２ｂ，２２ｂＣよりも短い被固定部２２ｕ，２２ｕＣが設けられていたが、これに限られない。例えば、被固定部２２ｕ，２２ｕＣの代わりに、１本の梁部材２２，２２Ｃに対して、互いに平行な複数本の桁部材２３を固定するために、この複数本の桁部材２３に共通する被固定部２２ｕＤが設けられてもよい。また、例えば、１本の梁部材２２，２２Ｃに対する各桁部材２３の端部の固定具による固定が、２箇所で行われる代わりに、１箇所で行われてもよい。また、例えば、１つの太陽電池モジュール３が、２本の桁部材２３によって保持されるうえに、２本の桁部材２３の間に、保持用の桁部材２３ａＤが加えられてもよい。
【００８５】
図１７には、上記一実施形態に係る太陽電池アレイ１の構成がベースとされた太陽電池アレイ１Ｄの構成の一例が示されている。ここで、梁部材２２が梁部材２２Ｄに置換され且つ桁部材２３が桁部材２３Ｄに置換されるとともに、固定補助具２５が固定補助具２５Ｄに置換されて、架台２が架台２Ｄに変更されている。図１８には、太陽電池アレイ１Ｄの一部の構成が概略的に示されている。
【００８６】
図１７の例では、梁部材２２Ｄは、梁部材本体２２ｂの上部に１本の被固定部２２ｕＤが固定されている。被固定部２２ｕＤは、例えば、上記一実施形態において１本の梁部材本体２２ｂの上部に互いに離れて固定されていた複数の被固定部２２ｕが、第１方向（＋Ｙ方向）に相互に延伸されて連結されたような形態を有している。
【００８７】
被固定部２２ｕＤは、湾曲部Ｃ１Ｄを含んでいる。図１７の例では、被固定部２２ｕＤの上部には、第２方向（＋Ｘ方向）に並んでいる２つの湾曲部Ｃ１Ｄが設けられている。
【００８８】
湾曲部Ｃ１Ｄは、第１の凸状湾曲面Ｓｐ１Ｄを有している。この第１の凸状湾曲面Ｓｐ１Ｄは、桁部材２３Ｄ側（ここでは、＋Ｚ方向）において、この桁部材２３Ｄ側に張り出すように湾曲しており且つ第１方向（＋Ｙ方向）に伸びている。換言すれば、湾曲部Ｃ１Ｄでは、長手方向（＋Ｙ方向）に垂直な断面（ＸＺ断面）における上側（＋Ｚ側）の外縁部が湾曲している。図１７の例では、湾曲部Ｃ１Ｄは、湾曲している板状の部分である。この場合、湾曲部Ｃ１Ｄは、凹状湾曲面Ｓｒ１Ｄを有している。この凹状湾曲面Ｓｒ１Ｄは、設置面Ｇ０側において桁部材２３Ｄ側に窪むように湾曲しており且つ第１方向（＋Ｙ方向）に延びている。つまり、湾曲部Ｃ１Ｄは、第１の凸状湾曲面Ｓｐ１Ｄの逆側に凹状湾曲面Ｓｒ１Ｄを有している。また、湾曲部Ｃ１Ｄには、１本の桁部材２３Ｄに対して１つの長孔Ｈ０が設けられている。
【００８９】
固定補助具２５Ｄは、上記一実施形態の固定補助具２５がベースとされて、例えば、固定補助具２５のうち、１つの第１の挿通孔２５ｈを含むこの固定補助具２５の長手方向の一部が採用された構造を有している。図１７の例では、固定補助具２５Ｄには、１つの第１の挿通孔２５ｈと、第２の凸状湾曲面Ｓｐ２Ｄとが設けられている。この固定補助具２５Ｄは、例えば、各梁部材２２Ｄの設置面Ｇ０側にそれぞれ配置される。第１の挿通孔２５ｈには、一部の固定具として第１締結部Ｂ１が挿通され得る。第２の凸状湾曲面Ｓｐ２Ｄは、一部の固定具としての第１締結部Ｂ１が第１の挿通孔２５ｈを貫通している方向に張り出すように湾曲しており且つ第１方向（＋Ｙ方向）に延びている。例えば、固定補助具２５Ｄは、長手方向（＋Ｙ方向）に垂直な断面（ＸＺ断面）における上側（＋Ｚ側）の外縁部が湾曲している。また、第２の凸状湾曲面Ｓｐ２Ｄには、第１の挿通孔２５ｈの開口が設けられている。
【００９０】
桁部材２３Ｄは、上記一実施形態の桁部材２３Ｄがベースとされて、下向きのＵ字状の桁部材本体２３ｍが下向きのＬ字状の桁部材本体２３ｍＤに置換されるとともに、２つのフランジ部２３ｆが１つのフランジ部２３ｆＤに置換された構成を有している。１つのフランジ部２３ｆＤは、例えば、桁部材本体２３ｍＤの下端部において、外方（ここでは、−Ｙ方向））に向けて延びている。また、フランジ部２３ｆＤの桁部材本体２３ｍＤとは逆側の端部には、上方（ここでは、＋Ｚ方向）に突起している突起部２３ｐＤが設けられている。突起部２３ｐＤの上端部の一部には、後述する取付具２８Ｄと係り合うセレーション部が形成されている。このフランジ部２３ｆＤには、孔部２３ｈは設けられておらず、フランジ部２３ｆＤが取付具２８Ｄと湾曲部Ｃ１Ｄとの間で挟持されることで、フランジ部２３ｆＤが湾曲部Ｃ１Ｄに取り付けられる。
【００９１】
取付具２８Ｄは、例えば、取付具本体２８ｂおよび押圧部２８ｐを有している。取付具本体２８ｂおよび押圧部２８ｐの下面は１つの平面を成すように形成されている。但し、取付具本体２８ｂと押圧部２８ｐとの境界には、下面から上方に向かって凹み且つ第２方向（＋Ｘ方向）に沿って延びている溝部２８ｇＤが形成されている。溝部２８ｇＤの奥部には、突起部２３ｐＤのセレーション部と係り合うセレーション部が設けられている。また、取付具本体２８ｂには、上面から下面にかけて貫通する孔部２８ｈＤが形成されている。
【００９２】
このような構成を有する取付具２８Ｄは、フランジ部２３ｆＤの上面に押圧部２８ｐが配置され且つ溝部２８ｇＤに突起部２３ｐＤが嵌まるように配置される。このとき、例えば、孔部２８ｈＤと長孔Ｈ０と第１の挿通孔２５ｈとが連通するような状態で、孔部２８ｈＤと長孔Ｈ０と第１の挿通孔２５ｈとに対して、第１締結部Ｂ１の軸部Ｐ１が挿通される。そして、例えば、第１締結部Ｂ１と第２締結部Ｎ１との間に、取付具２８Ｄと湾曲部Ｃ１Ｄと固定補助具２５Ｄと環状の座金Ｗ１とが挟まれた状態で、第１締結部Ｂ１と第２締結部Ｎ１とが相互に締め付けられる。これにより、フランジ部２３ｆＤが取付具２８Ｄと湾曲部Ｃ１Ｄとの間で挟持される。なお、例えば、取付具２８Ｄの孔部２８ｈＤの上端部に頭部Ｈ１が嵌まる凹部が形成されていれば、第２締結部Ｎ１が回転されれば、第１締結部Ｂ１と第２締結部Ｎ１とが相互に締め付けられ得る。
【００９３】
ここでは、柱部材２１の上部２１ｕに梁部材２２Ｄが固定され、梁部材２２Ｄの被固定部２２ｕＤの湾曲部Ｃ１Ｄ上に載置される桁部材２３Ｄの角度が、第１の凸状湾曲面Ｓｐ１Ｄ上で適宜調整され得る。このとき、例えば、被固定部２２ｕＤの湾曲部Ｃ１Ｄにおける設置面Ｇ０側の凹状湾曲面Ｓｒ１Ｄに沿って固定補助具２５Ｄが回転されることで、固定補助具２５Ｄの角度が適宜調整され得る。
【００９４】
また、図１８で示されるように、保持用の桁部材２３ａＤは、桁部材２３Ｄと同様な形態を有する桁部材本体２３ｍＤとフランジ部２３ｆＤとを有している。但し、桁部材本体２３ｍＤの上部は、太陽電池モジュール３の裏面を支持する構造を有している。具体的には、例えば、桁部材本体２３ｍＤの上面が略平坦な面とされ、該上面が樹脂製の弾性部材等によって被覆される。そして、保持用の桁部材２３ａＤは、桁部材２３Ｄと同様に、フランジ部２３ｆＤが取付具２８Ｄと湾曲部Ｃ１Ｄとの間で挟持される。また、保持用の桁部材２３ａＤには、例えば、桁部材本体２３ｍＤの長手方向の両端部の近傍の上部において、桁部材２３Ｄの長手方向の両端側から太陽電池モジュール３を挟み込むように保持する、保持部２３ａｓＤが設けられてもよい。
【００９５】
＜２−４．その他の変形例＞
例えば、上記一実施形態および上記各種変形例では、梁部材２２，２３Ｃ，２３Ｄの上部に湾曲部Ｃ１，Ｃ１Ｃ，Ｃ１Ｄが設けられていたが、これに限られない。例えば、梁部材２２，２３Ｃ，２３Ｄの上部に湾曲部Ｃ１，Ｃ１Ｃ，Ｃ１Ｄが設けられる代わりに、桁部材２３，２３Ｄの下部に湾曲部が設けられてもよい。
【００９６】
図１９および図２０には、上記第２変形例に係る太陽電池アレイ１Ｃの構成がベースとされた太陽電池アレイ１Ｅの構成の一例が示されている。ここで、梁部材２２Ｃおよび桁部材２３が梁部材２２Ｅおよび桁部材２３Ｅに置換されて、架台２Ｃが架台２Ｅに変更されている。図１９および図２０のそれぞれには、湾曲部Ｃ１Ｃの長孔Ｈ０Ｃに沿ったＸＺ断面が例示されている。また、図１９および図２０には、架台２Ｅが設置される際に、梁部材２２Ｅに対する桁部材２３Ｅの取り付け角度が調整される態様が例示されている。
【００９７】
図１９および図２０の例では、梁部材２２Ｅは、上記第２変形例に係る梁部材２２Ｃから被固定部２２ｕＣが取り除かれた形態を有している。また、例えば、桁部材２３Ｅは、上記第２変形例に係る桁部材２３がベースとされている。桁部材２３Ｅは、一対のフランジ部２３ｆが一対のフランジ部２３ｆＥに置換され、一対のフランジ部２３ｆＥの下面に被固定部２３ｂＥが取り付けられた構成を有している。一対のフランジ部２３ｆＥには、例えば、この一対のフランジ部２３ｆＥの下面において、桁部材２３Ｅの長手方向に沿って被固定部２３ｂＥを摺り動かすことが可能となるような２本の細長い孔部２３ｈＥが形成されている。ここでは、例えば、１つのフランジ部２３ｆに１本の細長い孔部２３ｈＥが形成される。被固定部２３ｂＥとしては、例えば、上記第２変形例に係る被固定部２２ｕＣを上下反転させたものが適用され得る。このとき、被固定部２３ｂＥは、例えば、湾曲部Ｃ１Ｃを含む半円筒状の部材である。この被固定部２３ｂＥは、例えば、固定具を配設するための空間を内部に有するスペーサーとしても働く。図１９および図２０の例では、桁部材２３Ｅのうちの第２方向（＋Ｘ方向）の両側に配されるフランジ部２３ｆＥの下面に対して、それぞれ被固定部２３ｂＥが配されている。これにより、図１９および図２０で示されるように、略平行に配置されている２つの被固定部２３ｂＥが、第２方向（＋Ｘ方向）に並んでいる。
【００９８】
湾曲部Ｃ１Ｃは、第１の凸状湾曲面Ｓｐ１Ｃを有している。この第１の凸状湾曲面Ｓｐ１Ｃは、梁部材２２Ｅ側においてこの梁部材２２Ｅ側に張り出すように湾曲しており且つ第１方向（＋Ｙ方向）に伸びている。換言すれば、湾曲部Ｃ１Ｃでは、長手方向（＋Ｙ方向）に垂直な断面（ＸＺ断面）における下側（−Ｚ側）の外縁部が湾曲している。図１９および図２０の例では、湾曲部Ｃ１Ｃは、半円筒状の被固定部２３ｂＥの外周部において湾曲している板状の部分である。
【００９９】
上記構成を有する架台２Ｅを備えた太陽電池アレイ１Ｅでは、図１９および図２０で示されるように、梁部材２２Ｅの上面部２２ｆＣ上に、桁部材２３Ｅの被固定部２３ｂＥが載置され、この桁部材２３Ｅの角度が適宜調整される。このとき、例えば、一対のフランジ部２３ｆＥの下面に対して被固定部２３ｂＥが適宜摺り動かされるとともに、梁部材本体２２ｂＥの上面部２２ｆＣの下面に対して固定補助具２５Ｃが適宜摺り動かされる。これにより、例えば、上面部２２ｆＣを挟んで配置される被固定部２３ｂＥと固定補助具２５Ｃとの間における第２方向（＋Ｘ方向）に沿ったずれ量が適宜調整され得る。その結果、例えば、被固定部２３ｂＥの長孔Ｈ０Ｃから上面部２２ｆＣの長孔Ｈ２Ｃを介して固定補助具２５Ｃの挿通孔２５ｈＣに向けて、軸部Ｐ１の挿通が可能である方向が、適宜調整され得る。
【０１００】
ここでは、例えば、桁部材２３Ｅの孔部２３ｈＥと、湾曲部Ｃ１Ｃの長孔Ｈ０Ｃと、固定補助具２５Ｃの第１の挿通孔２５ｈＣとが連通され、孔部２３ｈＥと長孔Ｈ０Ｃと第１の挿通孔２５ｈＣとに、第１締結部Ｂ１としてのボルトの軸部Ｐ１が挿通される。そして、軸部Ｐ１の外周に環状の座金Ｗ１が嵌められ、この軸部Ｐ１に対して第２締結部Ｎ１としてのナットが嵌め合わされる。このとき、第１締結部Ｂ１と第２締結部Ｎ１との間に、桁部材２３のフランジ部２３ｆＥと、湾曲部Ｃ１Ｃと、固定補助具２５Ｃと、環状の座金Ｗ１とが挟まれた状態で、第１締結部Ｂ１と第２締結部Ｎ１とが相互に締め付けられる。これにより、例えば、固定具によって梁部材２２Ｅと桁部材２３Ｅとが安定して固定され得る。
【０１０１】
また、上記一実施形態および上記各種変形例では、１本の梁部材２２，２２Ｃ〜２２Ｅが、２本の柱部材２１によって支持されていたが、これに限られない。例えば、図２１で示されるように、１本の梁部材２２，２２Ｃ〜２２Ｅが、１本の柱部材２１Ｆによって支持されてもよい。すなわち、例えば、各梁部材２２，２２Ｃ〜２２Ｅは、１本以上の柱部材２１，２１Ｆによって支持され得る。図２１の例では、設置面Ｇ０に立てられた１本の柱部材２１Ｆは、例えば、１本の柱部材本体２１ａＦと、この柱部材本体２１ａＦから枝分かれするように設けられた枝部２１ｂＦ，２１ｃＦとによって、梁部材２２，２２Ｃ〜２２Ｅを支持することができる。
【０１０２】
また、上記一実施形態ならびに上記第１〜２変形例では、１つの湾曲部Ｃ１，Ｃ１Ｃに対して１つの桁部材２３が取り付けられる位置に、２本の平行な長孔Ｈ０，Ｈ０Ｃが設けられたが、これに限られない。例えば、１つの湾曲部Ｃ１，Ｃ１Ｃに対して１つの桁部材２３が取り付けられる位置に、１本以上の平行な長孔Ｈ０，Ｈ０Ｃが設けられてもよい。
【０１０３】
また、上記一実施形態および上記各種変形例では、例えば、第１締結部Ｂ１と第２締結部Ｎ１とが適宜入れ替えられてもよい。
【０１０４】
また、上記一実施形態および上記各種変形例では、複数の固定具としては、例えば、第１締結部Ｂ１としてのボルトと第２締結部Ｎ１としてのナットとの組合せが適宜採用されたが、これに限られない。第１締結部Ｂ１として、例えば、頭部Ｈ１を有さない軸部Ｐ１を有する全ネジタイプまたは両ネジタイプのスタッドボルト等が採用されてもよい。このとき、例えば、第２締結部Ｎ１としてのナットが軸部Ｐ１の両端に嵌め合わせられ得る。また、複数の固定具として、例えば、固定補助具２５と軸部Ｐ１とが一体的に構成され、この軸部Ｐ１にナット等の締結具が嵌め合わされるものが採用されてもよい。さらに、例えば、複数の固定具として、第１締結部Ｂ１と第２締結部Ｎ１との組合せの代わりに、カシメによる固定を行うためのリベット、および挟持による固定を行うためのクリップ等が採用されてもよい。
【０１０５】
また、上記一実施形態および上記各種変形例では、例えば、１本の梁部材２２，２２Ｃ，２２Ｄにおいて、平行に並ぶ２つの第１の凸状湾曲面Ｓｐ１，Ｓｐ１Ｃ，Ｓｐ１Ｄのうちの１つの第１の凸状湾曲面Ｓｐ１，Ｓｐ１Ｃ，Ｓｐ１Ｄが取り除かれてもよい。この場合、例えば、１本の梁部材２２，２２Ｃ，２２Ｄに対して複数本の桁部材２３，２３Ｄが取り付けられる位置が、第１方向（＋Ｙ方向）に相互にずらされ得る。
【０１０６】
また、上記一実施形態および上記各種変形例では、柱部材２１と梁部材２２，２２Ｃ〜２２Ｅとの間、ならびに梁部材２２，２２Ｃ〜２２Ｅと桁部材２３，２３Ｄ，２３Ｅとの間の何れかに、別の部材が挟まれていてもよい。
【０１０７】
また、上記一実施形態および上記各種変形例では、例えば、２本以上の梁部材２２，２２Ｃ〜２２Ｅは、完全に平行である必要はなく、平行な状態から若干ずれた状態で配置されてもよい。この場合、例えば、複数の梁部材２２，２２Ｃ，２２Ｄの上部に設けられる複数の第１の凸状湾曲面Ｓｐ１，Ｓｐ１Ｃ，Ｓｐ１Ｄが平行に配置されれば、複数の梁部材２２，２２Ｃ，２２Ｄ上に、桁部材２３，２３Ｄが容易に固定され得る。
【０１０８】
また、上記一実施形態および上記各種変形例では、例えば、少なくとも２本の柱部材２１，２１Ｆ、２本の梁部材２２，２２Ｃ〜２２Ｅおよび２本の桁部材２３，２３Ｄ，２３Ｅを有する架台および太陽電池アレイとされてもよい。
【０１０９】
なお、上記一実施形態および各種変形例をそれぞれ構成する全部または一部を、適宜、矛盾しない範囲で組み合わせ可能であることは、言うまでもない。
【符号の説明】
【０１１０】
１，１Ｃ〜１Ｅ  太陽電池アレイ
２，２Ｃ〜２Ｅ  架台
３  太陽電池モジュール
２１，２１Ｆ  柱部材
２２，２２Ｃ〜２２Ｅ  梁部材
２２ｂ，２２ｂＣ  梁部材本体
２２ｕ，２２ｕＣ，２２ｕＤ，２３ｂＥ  被固定部
２３，２３Ｃ〜２３Ｅ，２３ａＤ  桁部材
２３ｆ，２３ｆＤ，２３ｆＥ  フランジ部
２３ｈ，２３ｈＥ  孔部
２５，２５Ｃ，２５Ｄ  固定補助具
２５ｈ，２５ｈＣ  第１の挿通孔
２８Ｄ  取付具
Ｂ１，Ｂ２  第１締結部
Ｃ１，Ｃ１Ｃ，Ｃ１Ｄ  湾曲部
Ｇ０  設置面
Ｈ０，Ｈ０Ｃ，Ｈ２Ｃ  長孔
Ｈ１  頭部
Ｎ１，Ｎ２  第２締結部
Ｐ１  軸部
Ｓｐ１，Ｓｐ１Ｃ，Ｓｐ１Ｄ  第１の凸状湾曲面
Ｓｐ２，Ｓｐ２Ｃ，Ｓｐ２Ｄ  第２の凸状湾曲面
Ｓｒ１，Ｓｒ１Ｄ  凹状湾曲面
Ｗ２Ａ，Ｗ２Ｂ  座金部
Ｗ２ｈ  第２の挿通孔
Ｗ２ｒ，Ｗ２ｒＢ  凹部
Ｗ２ｓ，Ｗ２ｓＢ  ストッパ部
【図１】
0006712497.tif 000002
【図２】
0006712497.tif 000003
【図３】
0006712497.tif 000004
【図４】
0006712497.tif 000005
【図５】
0006712497.tif 000006
【図６】
0006712497.tif 000007
【図７】
0006712497.tif 000008
【図８】
0006712497.tif 000009
【図９】
0006712497.tif 000010
【図１０】
0006712497.tif 000011
【図１１】
0006712497.tif 000012
【図１２】
0006712497.tif 000013
【図１３】
0006712497.tif 000014
【図１４】
0006712497.tif 000015
【図１５】
0006712497.tif 000016
【図１６】
0006712497.tif 000017
【図１７】
0006712497.tif 000018
【図１８】
0006712497.tif 000019
【図１９】
0006712497.tif 000020
【図２０】
0006712497.tif 000021
【図２１】
0006712497.tif 000022